(57)【要約】【課題】交換作業が簡単でありながら、交換作業において局部を十分に隠蔽できる吸収性物品を提供する。【解決手段】液透過性の表面側シート３Ａと液不透過性の裏面側シート３Ｂとの間に吸収体３Ｃを介在させてなる吸収シート３が複数層積層され、且つ裏面側に位置する吸収シート３が表面側に位置する吸収シート３により覆われてなる吸収部と、この吸収部の表面側を覆う液透過性のトップシート２と、吸収部の裏面側を覆うバックシート３と、バックシート３におけるウエスト側端部に開口された、幅方向に沿うスリット状の吸収シート取出口２０とを備え、吸収シート３は表面側のものから順に一枚ずつ取出口２０から引き抜かれて取り外されるように構成されている、吸収性物品である。【選択図】図１
2010035800.tif 000002
【特許請求の範囲】
【請求項１】
股間を覆うように装着される吸収性物品において、
液透過性の表面側シートと液不透過性の裏面側シートとの間に吸収体を介在させてなる吸収シートが複数層積層され、且つ裏面側に位置する吸収シートが表面側に位置する吸収シートにより覆われてなる、吸収部と、
前記吸収部の表面側を覆う液透過性の表面側層と、
前記吸収部の裏面側を覆う裏面側層と、
前記表面側層及び裏面側層のいずれか一方に設けられた、前記吸収シートの取出口と、  を備え、
前記吸収シートは表面側のものから順に一枚ずつ前記取出口から引き抜かれて取り外されるように構成されている、
ことを特徴とする、吸収性物品。
【請求項２】
前記吸収シートの前端部又は後端部と重なる位置又はその近傍に、前記取出口が設けられるとともに、
各前記吸収シートにおける前記取出口側と反対側の先端部のみが周囲部材に対して固定され、且つ前記吸収シートのうち少なくとも最も裏面側に位置する吸収シート以外の吸収シートには、前記先端部と前記取出口側の部分との境界に沿ってミシン目が形成されており、
前記吸収シートは前記先端部以外の部分が前記ミシン目により切り離されて前記取出口から引き抜かれて取り外されるように構成されている、請求項１記載の吸収性物品。
【請求項３】
前記吸収シートの前端部又は後端部と重なる位置又はその近傍に、前記取出口が設けられるとともに、
各前記吸収シートにおける少なくとも前記取出口側と反対側の先端部が周囲部材に対して固定され、且つこの固定部は、少なくとも最も裏面側に位置する吸収シート以外の吸収シートでは着脱可能とされ、
前記吸収シートは前記固定部を取り外すことによりその全体が前記取出口から引き抜かれて取り外されるように構成されている、請求項１又は２記載の吸収性物品。
【請求項４】
前記吸収シートの前端部又は後端部と重なる位置又はその近傍に、前記取出口が設けられるとともに、前記吸収シートのうち少なくとも最も裏面側に位置する吸収シート以外の吸収シートには、前記取出口側と反対側の端部に、その前後よりも隆起した隆起部が幅方向に沿って延在されている、請求項１〜３のいずれか１項に記載の吸収性物品。
【請求項５】
前記吸収シートのうち少なくとも最も裏面側に位置する吸収シート以外の吸収シートには、端部に摘み部が設けられるとともに、この摘み部が前記取出口の外に突出している、請求項１〜４のいずれか１項に記載の吸収性物品。
【請求項６】
背側部分の両側部に、腹側部分外面に対する連結テープを有するテープ式使い捨ておむつであって、前記取出口は幅方向に沿うスリット状をなすとともに背側部分外面におけるウエスト側端部又はその近傍に開口されている、請求項１〜５のいずれか１項に記載の吸収性物品。
【発明の詳細な説明】
【技術分野】
【０００１】
本発明は、使い捨ておむつ、吸収パッド、生理用ナプキン等の、股間を覆うように身体に装着される吸収性物品に関する。
【背景技術】
【０００２】
吸収性物品においては、一回限りの使い捨てであるのが主流であるが、頻繁に紙おむつを交換せずに済むようにするとともに、おむつの購入費用を削減するために、いわゆるアウター使い捨ておむつの内側に交換可能な吸収パッドを挿入して使用する形態が提案されている（例えば特許文献１参照）。このような使用形態は大人用の製品においては主流となっている。この場合、アウターがいわゆるテープ式使い捨ておむつの場合には、パッドを交換するときに、テープを外し、排泄物で汚れたパッドを取り出し、新しい交換用パッドを身体に密着させながらその上におむつを被せ、止着テープによりおむつを装着することになる。一方、アウターがパンツ型使い捨ておむつの場合には、おむつを膝上まで降ろし、排泄物で汚れたパッドを取り出し、新しい交換用パッドを紙おむつの内側に位置させながらおむつを引き上げて装着することが多い。
このような交換作業においては、装着者にとって、紙おむつの取り外し及び装着に多大な負担を強いるものであるとともに、パッドを出し入れする際にパッドが肌に擦れて肌を傷付けるおそれがある。また、特に介護用途においては、被介護者にとってみれば局部を他人にみせることになり、自尊心を傷つけ精神的な苦痛を伴う。さらに、パッドが排泄液を吸収しても、紙おむつの取り外し及び装着に多大な負担がかかるので、介護者が頻繁に確認するのについおっくうとなる。
このような問題点を解決するものとして、被介護者の局部を露出させることがなく吸収体部分を交換するための技術が提案されている（例えば特許文献２参照）。この場合、被介護者の自尊心を傷つけ精神的な苦痛を与えずに、吸収機能を更新することができる。
【特許文献１】特開２００３−９３４３９号公報
【特許文献２】特開２００３−１５３９５６号公報
【発明の開示】
【発明が解決しようとする課題】
【０００３】
しかしながら、従来の吸収部分交換型の吸収性物品は、吸収体部分の交換に際して使用済み吸収体部分の取り外しと、新規吸収体部分の取り付けという２ステップの作業が必要であり、しかもこれらのステップの間においては、局部が薄い液透過性のシートで覆われるだけであり、交換作業における局部の隠蔽が不十分であった。
そこで、本発明の主たる課題は、交換作業が簡単でありながら、交換作業において局部を十分に隠蔽できる吸収性物品を提供することにある。
【課題を解決するための手段】
【０００４】
上記課題を解決した本発明は次記のとおりである。
＜請求項１記載の発明＞
股間を覆うように装着される吸収性物品において、
液透過性の表面側シートと液不透過性の裏面側シートとの間に吸収体を介在させてなる吸収シートが複数層積層され、且つ裏面側に位置する吸収シートが表面側に位置する吸収シートにより覆われてなる、吸収部と、
前記吸収部の表面側を覆う液透過性の表面側層と、
前記吸収部の裏面側を覆う裏面側層と、
前記表面側層及び裏面側層のいずれか一方に設けられた、前記吸収シートの取出口と、  を備え、
前記吸収シートは表面側のものから順に一枚ずつ前記取出口から引き抜かれて取り外されるように構成されている、
ことを特徴とする、吸収性物品。
【０００５】
（作用効果）
本発明の吸収部においては、吸収シートが複数層積層されており、裏面側に位置する吸収シートは表面側に位置する吸収シートにより覆われ隠されている。使用時には、表面側シートを透過した排泄物が最も表面側に位置する吸収シートにより受け止められ吸収される。吸収された排泄物は液不透過性の裏面側シートにより遮断されるため、更に裏面側に隠れている吸収シートまでは移行しない。そして、吸収後においては、吸収部に内蔵された吸収シートのうち最も表面側に位置するものを取出口から引き抜いて取り外し、他のものを引き抜かずに残しておくだけで、使用済みの吸収シートを吸収部から取り外すのと同時に自動的に未使用の吸収シートを吸収部の最も表面側に位置させることができる。しかも、吸収シートの更新の際、吸収部の裏面側は裏面側層により常に覆われており、また吸収部に吸収シートが残っている場合には吸収シートも隠蔽効果を発揮するため、局部を十分に隠蔽した状態で吸収部の更新が可能となる。また、吸収シートを引き抜く際、吸収シートは表面側層を介して肌と接触しているため、吸収シートが肌と擦れることがなく、肌を傷付けるおそれがない。最後の（最も裏面側に位置する）吸収シートは使用後に引き抜いても良いが引き抜かなくても良い。
【０００６】
＜請求項２記載の発明＞
前記吸収シートの前端部又は後端部と重なる位置又はその近傍に、前記取出口が設けられるとともに、
各前記吸収シートにおける前記取出口側と反対側の先端部のみが周囲部材に対して固定され、且つ前記吸収シートのうち少なくとも最も裏面側に位置する吸収シート以外の吸収シートには、前記先端部と前記取出口側の部分との境界に沿ってミシン目が形成されており、
前記吸収シートは前記先端部以外の部分が前記ミシン目により切り離されて前記取出口から引き抜かれて取り外されるように構成されている、請求項１記載の吸収性物品。
【０００７】
（作用効果）
このような吸収シートの固定構造を採用することにより、吸収シートが使用前又は使用後にズレたりヨレたりするのを防止できるとともに、引き抜きに際しては吸収シートを引っ張るだけでミシン目が切り離され、簡単に固定を解除できる。よって、使用時の固定と使用後の引き抜きの容易性を両立させることができる。
【０００８】
＜請求項３記載の発明＞
前記吸収シートの前端部又は後端部と重なる位置又はその近傍に、前記取出口が設けられるとともに、
各前記吸収シートにおける少なくとも前記取出口側と反対側の先端部が周囲部材に対して固定され、且つこの固定部は、少なくとも最も裏面側に位置する吸収シート以外の吸収シートでは着脱可能とされ、
前記吸収シートは前記固定部を取り外すことによりその全体が前記取出口から引き抜かれて取り外されるように構成されている、請求項１又は２記載の吸収性物品。
【０００９】
（作用効果）
このような吸収シートの固定構造を採用することにより、吸収シートが使用前又は使用後にズレたりヨレたりするのを防止できるとともに、引き抜きに際しては吸収シートを引っ張るだけで固定を解除することができる。よって、使用時の固定と使用後の引き抜きの容易性を両立させることができる。
【００１０】
＜請求項４記載の発明＞
前記吸収シートの前端部又は後端部と重なる位置又はその近傍に、前記取出口が設けられるとともに、前記吸収シートのうち少なくとも最も裏面側に位置する吸収シート以外の吸収シートには、前記取出口側と反対側の端部に、その前後よりも隆起した隆起部が幅方向に沿って延在されている、請求項１〜３のいずれか１項に記載の吸収性物品。
【００１１】
（作用効果）
この場合、吸収シートを引き抜く際、表面側層の裏面が隆起部を有する部分によって強く拭われるため、表面側層に排泄物が保持されている場合にはその排泄物を拭い取ることができる。本発明では吸収部は更新されるが表面側層は更新されないため、表面側層に排泄物が保持されると肌のカブレ等の問題を引き起こすおそれがあるが、前述の隆起部による排泄物の拭い取り作用によって、そのような問題を抑制することができる。
【００１２】
＜請求項５記載の発明＞
前記吸収シートのうち少なくとも最も裏面側に位置する吸収シート以外の吸収シートには、端部に摘み部が設けられるとともに、この摘み部が前記取出口の外に突出している、請求項１〜４のいずれか１項に記載の吸収性物品。
【００１３】
（作用効果）
このような摘み部を有することで吸収シートを取出口から容易に引き抜くことができる。
【００１４】
＜請求項６記載の発明＞
背側部分の両側部に、腹側部分外面に対する連結テープを有するテープ式使い捨ておむつであって、前記取出口は幅方向に沿うスリット状をなすとともに背側部分外面におけるウエスト側端部又はその近傍に開口されている、請求項１〜５のいずれか１項に記載の吸収性物品。
【００１５】
（作用効果）
前述の各問題点は、介護用途で良く用いられるテープ式使い捨ておむつ、つまり背側部分の両側部に、腹側部分外面に対する連結テープを有するテープ式使い捨ておむつにおいて特に顕著である。よって、本発明はこのようなテープ式使い捨ておむつに好適である。しかし、腹側部分はテープを連結する部位となることや、背側部分であっても臀部には可能な限り広い範囲に吸収部を設けるのが望ましいため、取出口は幅方向に沿うスリット状をなすとともに背側部分外面に開口されているのが望ましい。
【発明の効果】
【００１６】
以上のとおり本発明によれば、交換作業が簡単でありながら、交換作業において局部を十分に隠蔽できるようになる、等の利点がもたらされる。
【発明を実施するための最良の形態】
【００１７】
以下、本発明の一実施形態についてテープ式使い捨ておむつの例を引いて説明するが、本発明はパンツ型の使い捨ておむつや下着内面に装着される吸収パッド等の他の吸収性物品にも適用できるものである。
（テープ式使い捨ておむつについて）
図１〜図６は、本発明に係るテープ式使い捨ておむつの一例１００を示しており、この使い捨ておむつ１００は、裏面側層を構成するバックシート１と、表面側層を構成する液透過性トップシート２との間に、複数の吸収シート３が積層されてなる吸収部が設けられているものである。各吸収シート３は液透過性の表面側シート３Ａと液不透過性の裏面側シート３Ｂとの間に吸収体３Ｃを介在させてなるものであり、裏面側に位置する吸収シート３の全体が表面側に位置する吸収シート３により覆われている。なお、以下の説明において、股間部Ｃは使用時に身体の股間と対応させる部分を意味し、殆ど多くの製品では前後方向中央部及びその前後近傍の部分である。具体的には、成人向け吸収性物品の場合、製品の前後方向中央を基準として±１５０ｍｍの範囲である。また、腹側部分（前側部分）Ｆは股間部Ｃよりも前側の部分を意味し、背側部分（後側部分）Ｂは股間部Ｃよりも後側の部分を意味する。
【００１８】
トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。液透過性トップシート２に不織布を用いる場合その坪量は１５〜３０ｇ／ｍ2であるのが好ましく、厚みは０．０５〜１ｍｍであるのが好ましい。本発明では、吸収シート３は更新できるがトップシート２は更新できないため、トップシート２が排泄物を保持し難いように、トップシート２は疎水性素材、特に撥水加工等を施した撥水性素材を用いるのが好ましい。
【００１９】
本発明では吸収シート３の裏面側シートが液不透過性であるため、バックシート１として不織布等の液透過性のシートを用いることもできるが、液不透過性のシートの方が隠蔽性を高めやすいため望ましい。バックシート１に用いる液不透過性のシートとしては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。バックシート１の坪量は１３〜４０ｇ／ｍ2であるのが好ましく、厚みは０．０１〜０．１ｍｍであるのが好ましい。
【００２０】
バックシート１は、吸収シート３の周囲より外方に延在しており、両側縁に脚周りに沿う括れ部を有する砂時計形状をなしているものである。バックシート１の側方延在部の内面にはバリヤーシート４の幅方向外側の部分４ｘが前後方向全体にわたり貼り付けられ、吸収シート３の存在しないサイドフラップ部ＳＦを構成している。バリヤーシート４の幅方向中央側の部分４ｃはトップシート２上にまで延在しており、その幅方向中央側の端部には、細長状弾性部材４Ｇが前後方向に沿って伸張状態でホットメルト接着剤等により固定されている。この細長状弾性部材４Ｇ及び後述する細長状弾性部材１３としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２１】
バックシート１における背側部分Ｂのウエスト側端部（後端部）には、幅方向に沿うスリット状の取出口２０が形成されている。この取出口２０の寸法は適宜定めれば良いが、吸収シート３の取り出し易さ及び隠蔽性の観点から、取出口２０の幅は吸収シート３の幅の０．５〜２倍程度とするのが好ましい。取出口２０の位置も適宜定めることができるが、吸収シート３の前端部又は後端部と重なる位置又はその近傍に設けるのが好ましい。
【００２２】
トップシート２は、吸収シート３より若干大きめの砂時計形状とされ、吸収シート３の周縁より若干外方に延在する部分が、両側部ではバリヤーシート４とバックシート１との間にホットメルト接着剤等により固着され、前後端部ではバックシート１にホットメルト接着剤等により固着されている。なお、固着部分は図では点模様で示されている。そして、これらの固着部分以外の部分では、トップシート２とバックシート１とが固着されず、吸収シート３の収容空間が形成されている。この収容空間の周縁と吸収シート３の周縁との離間距離は ０〜３０ｍｍ程度とするのが好ましい。
【００２３】
バリヤーシート４の素材としては、プラスチックシートやメルトブローン不織布を使用することもできるが、肌への感触性の点で、不織布にシリコンなどにより撥水処理をしたものが好適に使用される。
【００２４】
バックシート１の外面を不織布で覆う場合には、バックシート１に代えて、外装不織布を吸収体３の周囲より外方に延在させてバリヤーシート４の側部とともに、吸収体８の存在しないサイドフラップ部ＳＦを構成することもできる。この場合、バックシート１をサイドフラップ部ＳＦまで延在させず、トップシート２と同様の形状とすることができる。
【００２５】
図３及び図４にも示されるように、両バリヤーシート４，４は、幅方向外側の部分４ｘが前後方向全体にわたり物品内面（図示形態ではトップシート２表面およびバックシート１内面）に着脱しないように固定されるとともに、幅方向中央側の部分４ｃが、前後方向の両端部では物品内面（図示形態ではトップシート２表面）に着脱しないように固定され、かつ前後方向の両端部間では物品内面（図示形態ではトップシート２表面）に固定されていない。この非固定部分は、図４に示されるように、物品内面（図示形態ではトップシート２表面）に対して起立可能なバリヤー部となる部分であり、その起立基端４ｂはバリヤーシート４における幅方向外側の固定部分４ｘと内側の部分４ｃとの境に位置する。
【００２６】
使い捨ておむつ１００の前後方向両端部では、バックシート１および液透過性トップシート２が吸収体３の前後端よりも前後両側にそれぞれ延在され、吸収体３の存在しないエンドフラップ部ＥＦが形成され、このうち背側のエンドフラップ部ＥＦにおいては、複数本、図示の例では３本の糸状弾性部材７，７…が幅方向に沿って配設されている。この糸状弾性部材７としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２７】
また、背側Ｂ１の胴回り部における両サイドフラップ部ＳＦには、それぞれファスニングテープ５，５が側方に突出するように取り付けられるとともに、使い捨ておむつ１００の腹側Ｆ１の胴回り部表面に幅方向に沿ってフロントターゲットテープ６が貼着されており、このフロントターゲットテープ６にファスニングテープ５の接合片８ａを止着することによって使い捨ておむつ１００が身体に装着されるようになっている。
【００２８】
図示例のファスニングテープ５は、１枚のファスニング基材シート８の内端側を使い捨ておむつ１００側に接着して取り付けられ、先端側には外側縁から延在して上下２段で側方に突出する接合片８ａ、８ａが形成され、接合片８ａ、８ａの間のファスニング基材シート８部分に対し、外側縁から内側に向かい、かつ水平方向に沿ってミシン目１０が設けられているものであるが、これに限られず公知のファスニングテープを用いることができる。ファスニング基材シート８としては、種々のシート材を使用することができるが、好ましくは坪量４０〜８０ｇ／ｍ2の単層又は複層の不織布を用いるのがよい。加工法は強度特性に優れたスパンボンドが好ましい。接合片８ａ、８ａの内面側（液透過性表面シート２側）には、表面にフック状突起を多数有するフックテープ（メカニカルファスナーの雄材）９，９がそれぞれ取り付けられ、フック状突起が着脱可能に掛止される表面を有するフロントターゲットテープ（メカニカルファスナーの雌材）６へ接合可能となっている。
【００２９】
他方、吸収シート３は、表面側シート３Ａの周縁部と裏面側シート３Ｂの周縁部とがホットメルト接着剤等の手段により固着され、この固着部分により囲まれた部分に吸収体３Ｃが介在されているものである。表面側シート３Ａとしては、トップシート２に用いられるものと同様の素材を用いることができるが、撥水性のものよりも親水性の素材が好ましい。また裏面側シート３Ｂとしては、バックシート１に用いられる液不透過性シートと同様の素材を用いることができる。吸収体３Ｃとしては、パルプ繊維の積繊体、セルロースアセテート等のフィラメントの集合体、あるいは不織布を基本とし、必要に応じて高吸収性ポリマーを混合、固着等してなるものを用いることができる。また、必要に応じて、吸収体３Ｃはクレープ紙（図示せず）により包むことができる。また、吸収体３Ｃの形状は適宜定めることができるが、図示のような長方形状の他、前後方向中間部が括れた砂時計形状等の任意の形状とすることができる。吸収体３Ｃをパルプ主体で構成する場合、パルプの目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００３０】
吸収シート３の寸法・形状は適宜定めれば良いが、吸収体３Ｃを有する部分が十分な幅で、股間部の前側から後側まで延在しているのが好ましい。吸収シート３の積層数は適宜定めることができるが、２〜４程度であるのが好ましい。
【００３１】
また、各吸収シート３の背側端部には、別体の摘みシート３ｔの一端部がホットメルト接着剤等の手段により固着されるとともに、この摘みシート３ｔの他端部が取出口２０の外に突出している。摘みシート３ｔには引き抜きの順番を示す番号表示が印刷等により設けられているのが好ましい。最も裏面側に位置する吸収シート３は取り外さなくても良いため、当該吸収シート３のみ摘みシート３ｔを省略することができる。
【００３２】
各吸収シート３は、その全体を周囲部材（トップシート２やバックシート１）に対して非固定とすることもできるが、吸収シート３が使用前又は使用後にズレたりヨレたりするおそれがある。また、固定するとしても、引き抜きの容易性や製造容易性を考慮しなければならない。このため、図示形態では、各吸収シート３における取出口２０側と反対側の先端部（つまり前端部）３ｆのみがトップシート２及びバックシート１間に挟まれてホットメルト接着剤等の手段により固定され、且つこの先端部３ｆと取出口２０側の部分との境界に沿ってミシン目３ｍが形成されており、吸収シート３は先端部３ｆ以外の部分がこのミシン目３ｍにより切り離し可能に構成されている。最も裏面側に位置する吸収シート３については取り外さなくても良いため、当該吸収シート３のみミシン目３ｍを省略することができる。
【００３３】
使用時には、トップシート２を透過した排泄物が最も表面側に位置する吸収シート３により受け止められ吸収される。吸収された排泄物は液不透過性の裏面側シート３Ｂにより遮断されるため、更にその裏面側に隠れている吸収シート３までは移行しない。そして、吸収後においては、図２中に二点鎖線で示すように、吸収部に内蔵された吸収シート３のうち最も表面側に位置するものの摘みシート３ｔを引張ることにより、当該吸収シート３ｔのみミシン目３ｍを切り離して固定を解除するとともに、取出口２０から引き抜いて取り外し、他のものを引き抜かずに残す。これにより、使用済みの吸収シート３を吸収部から取り外すのと同時に自動的に未使用の吸収シート３を吸収部の最も表面側に位置させることができ、吸収機能が更新される。また、この更新の際、吸収部の裏面側はバックシート１により常に覆われており、また吸収部に吸収シート３が残っている場合には吸収シート３も隠蔽効果を発揮するため、局部を十分に隠蔽した状態で吸収部の更新が可能となる。また、吸収シート３を引き抜く際、吸収シート３はトップシート２を介して肌と接触しているため、吸収シート３が肌と擦れることがなく、肌を傷付けるおそれがない。最後の（最も裏面側に位置する）吸収シート３は使用後に引き抜いても良いが引き抜かなくても良い。
【００３４】
＜その他＞
（ａ）上述のとおり吸収シート３は更新されるのに対してトップシート２が更新されないと、トップシート２に排泄物が保持され、肌のカブレ等の問題を引き起こすおそれがある。このため、トップシート２として疎水性、特に撥水性の素材を用いるのが好ましいのは前述したとおりであるが、更に好ましい形態として図７に示すように、各吸収シート３における取出口２０側と反対側の端部に、その前後よりも隆起した隆起部３ｐが幅方向に沿って延在されている形態も提案する。隆起部３ｐは幅方向に連続していても断続的に設けられていても良く、また幅方向の一部、例えば中央部のみに設けられていても良い。また、隆起部３ｐは図示のように吸収体３Ｃに厚肉部を設ける他、吸収体３Ｃを断面波状に曲げることによっても設けることができる。このような隆起部３ｐを設けることによって、吸収シート３を引き抜く際、トップシート２の裏面が隆起部３ｐを有する部分によって強く拭われるため、トップシート２に排泄物が保持されている場合にはその排泄物を拭い取ることができる。最も裏面側に位置する吸収シート３については取り外さなくても良いため、当該吸収シート３のみ隆起部を省略することができる。
【００３５】
（ｂ）取出口２０は、背側部分Ｂのウエスト側端部以外の部位、例えば腹側部分Ｆのウエスト側端部（吸収シート３の前端部と重なる位置又はその近傍）に設けたり、吸収シート３の側縁部と重なる位置又はその近傍に設けたりすることもでき、これらのうちの一箇所に設ける他、複数箇所に設けることもできる。ただし、背側部分Ｂのウエスト側端部に取出口２０を有すると、介護用途において被介護者を横臥させ膝を若干曲げた楽な姿勢で、背側に開口する取出口２０から吸収シート３を取り出すことができるため好ましい。
【００３６】
（ｃ）上記例では、摘み部を別体の摘みシート３ｔにより形成したが、吸収シート３の背側端部（例えば表面側シート３Ａ及び裏面側シート３Ｂのみからなるフラップ部分）を摘み状に延長して取出口２０の外に突出させることにより摘み部を形成しても良い。
【００３７】
（ｄ）上記例では、ミシン目３ｍにより吸収シート３の固定を解除する構造を採用したが、粘着剤やメカニカルファスナー等の着脱可能な固定手段を用いて、吸収シートにおける少なくとも取出口２０側と反対側の先端部を周囲部材に対して着脱可能に固定することもできる。この場合、最も裏面側に位置する吸収シート３については取り外さなくても良いため、当該吸収シート３のみ通常の固定手段により固定しても良い。このような固定構造を採用した場合においても、吸収シート３が使用前又は使用後にズレたりヨレたりするのを防止できるとともに、引き抜きに際しては吸収シート３を引っ張るだけで固定を解除することができ、使用時の固定と使用後の引き抜きの容易性を両立させることができる。
【００３８】
（ｅ）バックシート１の外面を外装不織布で覆う場合には、バックシート１及び外装不織布の両層が吸収部の裏面側を覆う裏面側層を構成する。またトップシート２と吸収部との間に別の中間シートを介在させる場合には、両シートが表面側層を構成する。
【産業上の利用可能性】
【００３９】
本発明は、テープ式又はパンツ式等の使い捨ておむつの他、生理用ナプキン、パンティライナー、おりものシート、失禁パッド等、広範な用途に適用できるものである。
【図面の簡単な説明】
【００４０】
【図１】テープ式使い捨ておむつの展開状態の内面側を示す平面図である。
【図２】図１のＹ−Ｙ断面図である。
【図３】図１のＶ−Ｖ断面図である。
【図４】図１のＷ−Ｗ断面図である。
【図５】要部拡大平面図である。
【図６】テープ式使い捨ておむつの展開状態の外面側を示す平面図である。
【図７】他のテープ式使い捨ておむつ示す、図１のＹ−Ｙ断面相当図である。
【符号の説明】
【００４１】
１…バックシート、２…液透過性トップシート、３…吸収シート、３ｔ…摘みシート、３ｍ…ミシン目、３ｆ…先端部、４…バリヤーシート、５…ファスニングテープ、６…ターゲットテープ、７…弾性部材、８…基材シート、９…フックテープ、１０…ミシン目、２０…取出口、１００…テープ式使い捨ておむつ。
【図１】
2010035800.tif 000003
【図２】
2010035800.tif 000004
【図３】
2010035800.tif 000005
【図４】
2010035800.tif 000006
【図５】
2010035800.tif 000007
【図６】
2010035800.tif 000008
【図７】
2010035800.tif 000009